(57)【要約】      （修正有）【課題】ハンドルのグリップを簡単に交換することができる歩行補助器を提供する。【解決手段】グリップ保有部材４２の一端側に開口部４２ａを設け、他端側には外周に位置規制用の締付けリング７０を設ける。歩行補助器１０の第１グリップ４１を交換する場合、締付けリング７０による位置規制を解除した後、グリップ保有部材４２を、一端側挿入部６１を軸中心として内回りに上方へ回動操作し、他端側端部４２ｂの凸部８２を、端部の雄ネジ部６２の凹部８１から離脱する。グリップ保有部材４２の一端側開口部４２ａを、一端側挿入部６１から引き抜いて、交換が必要な第１グリップを脚フレーム２１から分離した後、上述の分離手順とは逆の取付け手順に従って、新しい第１グリップを脚フレームに取り付ける。第２グリップ５１も同様の手順で交換できる。【選択図】図１
0003184475.tif 000002
【実用新案登録請求の範囲】
【請求項１】
上下方向に延びる前後２本の脚部の上端部に手で握る第１グリップを有する第１ハンドルが取り付けられた左右一対の脚フレームと、左右一対の脚フレームを該脚フレームの前部において左右に連結する連結フレームとを備えた歩行補助器であって、
前記第１ハンドルが、
前記脚フレームの上端部に対して着脱可能に取り付けられる前記第１グリップを有する第１グリップ保有部材を備え、
前記脚フレームにおける前記第１グリップ保有部材の両端が取り付けられる部分に、
前記第１グリップ保有部材の一端側に形成した一端側開口部に対して挿入される一端側挿入部と、該第１グリップ保有部材の他端側に形成した他端側端部に対して当接される他端側突出部とを設け、
前記他端側端部、及び前記他端側突出部における一方の外周に、
該他端側端部と他端側突出部とを略同軸中心に当接した状態に位置規制するための規制リングを取り付けるとともに、
該規制リングを、前記他端側端部と前記他端側突出部とを略同軸中心に当接した状態において、該他端側端部外周と他端側突出部外周とに跨る規制位置と、該他端側端部と他端側突出部とのいずれか一方の外周の規制解除位置とに移動可能に設けた
歩行補助器。
【請求項２】
前記脚フレームが、
前記脚フレームにおける前記第１ハンドルよりも下方に、該第１ハンドルよりも後方に突出して取り付けられる第２グリップを有する第２ハンドルを備え、
前記第２ハンドルが、
前記脚フレームにおける前記第１ハンドルよりも下位の部分に対して着脱可能に取り付けられる前記第２グリップを有する第２グリップ保有部材を備え、
前記脚フレームにおける前記第１ハンドルよりも下方の前記第２グリップ保有部材の両端が取り付けられる下位の部分に、
前記第２グリップ保有部材の一端側に形成した一端側開口部に対して挿入される一端側挿入部と、該第２グリップ保有部材の他端側に形成した他端側端部に対して当接される他端側突出部とを設け、
前記他端側端部、及び前記他端側突出部における一方の外周に、
該他端側端部と他端側突出部とを略同軸中心に当接した状態に位置規制するための規制リングを取り付けるとともに、
該規制リングを、前記他端側端部と前記他端側突出部とを略同軸中心に当接した状態において、該他端側端部外周と他端側突出部外周とに跨る規制位置と、該他端側端部と他端側突出部とのいずれか一方の外周の規制解除位置とに移動可能に設けた
請求項１に記載の歩行補助器。
【請求項３】
前記他端側端部、及び前記他端側突出部のいずれか一方の外周と、該一方の外周と対向する前記規制リングの内周とに、互いに螺合される雄ねじ部と雌ねじ部とを設けた
請求項１又は２に記載の歩行補助器。
【請求項４】
前記グリップ保有部材の他端側端部と、該他端側端部が当接される前記脚フレームの他端側突出部との当接部分に、
該他端側端部と他端側突出部とを当接する際、互いに係合される凹部と凸部とを設けた
請求項１〜３のいずれか一つに記載の歩行補助器。
【請求項５】
前記凹部と凸部とを、
前記左右一対の脚フレーム間に設定した内側空間部と対応する前記他端側端部、及び前記他端側突出部の外周部分に設けた
請求項１〜４のいずれか一つに記載の歩行補助器。
【請求項６】
前記第１グリップ、及び前記第２グリップのうち少なくとも一方のグリップを、
前記第１グリップ保有部材、及び前記第２グリップ保有部材のうち少なくとも一方の一端側外周に対して該一端側外周を覆うように固定するとともに、
前記グリップ保有部材の一端側開口部が前記グリップの一端側内周よりも中央部内周寄りに位置するように設けた
請求項１〜５のいずれか一つに記載の歩行補助器。
【考案の詳細な説明】
【技術分野】
【０００１】
この考案は、例えば、歩行困難な身障者や老人が歩行する際、或いは、歩行訓練、機能回復を行う際に使用される歩行補助器に関し、より詳しくは、グリップの交換ができるような歩行補助器に関する。
【背景技術】
【０００２】
上述の歩行補助器としては、老人等の使用者が両手で掴んで体を支え、足を運ぶごとに歩行補助器を進行方向に移動させて使用するものが既に提案されている（特許文献１参照）。  
特許文献１の歩行補助器は、略逆Ｕ字状に形成された左右一対のパイプ状本体をパイプ状本体の前部において連結して平面視コ字状にした構造である。パイプ状本体の上端の水平に延びる部分には、手で握ったときにすべりを防止し、握り易くするための第１グリップが一体に固定されている。
【０００３】
また、特許文献１の歩行補助器には、上述した第１グリップの下方に、該第１グリップと平行になるように下段の補助グリップを備えている。この補助グリップは、着座姿勢から歩行補助器を用いて立ち上がる場合や、歩行補助器で立った姿勢から着座する場合の動作を無理なく行えるようにするためのものである。
【０００４】
しかし、上述のグリップは、パイプ状本体に対して一体に設けられているので、グリップのみを交換することができない。そこで、使用によりグリップが劣化や損傷して体を支えにくくなることを防止するため、握ったときの状態よりも、耐久性のほうが重視されていて、合成ゴムからなるグリップが一般に使用されている。また、歩行補助器は、個人や施設で購入して使用されるほか、レンタル業者が購入してこの業者から借りて使用する場合もあるため、使用者が変わった際、グリップも交換できるようにすることが望ましい。
【先行技術文献】
【特許文献】
【０００５】
登録実用新案第３０７５０１５号公報
【考案の概要】
【考案が解決しようとする課題】
【０００６】
この考案は、ハンドルのグリップが劣化や損傷した場合、あるいは、その他の交換が必要な場合、該グリップを簡単に交換することができる歩行補助器を提供することを目的とする。
【課題を解決するための手段】
【０００７】
この考案は、上下方向に延びる前後２本の脚部の上端部に手で握る第１グリップを有する第１ハンドルが取り付けられた左右一対の脚フレームと、左右一対の脚フレームを該脚フレームの前部において左右に連結する連結フレームとを備えた歩行補助器であって、前記第１ハンドルが、前記脚フレームの上端部に対して着脱可能に取り付けられる前記第１グリップを有する第１グリップ保有部材を備え、前記脚フレームにおける前記第１グリップ保有部材の両端が取り付けられる部分に、前記第１グリップ保有部材の一端側に形成した一端側開口部に対して挿入される一端側挿入部と、該第１グリップ保有部材の他端側に形成した他端側端部に対して当接される他端側突出部とを設け、前記他端側端部、及び前記他端側突出部における一方の外周に、該他端側端部と他端側突出部とを略同軸中心に当接した状態に位置規制するための規制リングを取り付けるとともに、該規制リングを、前記他端側端部と前記他端側突出部とを略同軸中心に当接した状態において、該他端側端部外周と他端側突出部外周とに跨る規制位置と、該他端側端部と他端側突出部とのいずれか一方の外周の規制解除位置とに移動可能に設けた歩行補助器であることを特徴とする。
【０００８】
この考案によれば、ハンドルのグリップが劣化や損傷した場合、あるいは、その他の交換が必要な場合、該グリップを簡単に交換することができる。  
詳述すると、歩行時において使用者が手で握る部分として、脚フレームの上端部に取り付けられた第１ハンドルの第１グリップが、例えば、劣化や損傷するなどして交換が必要になった場合、規制リングを、他端側端部と他端側突出部とのいずれか一方の外周の規制解除位置へ移動させて位置規制を解除した後、第１グリップ保有部材を、該第１グリップ保有部材の一端側開口部に挿入された脚フレームの一端側挿入部を軸中心として回動操作する。
【０００９】
上述の回動操作により、第１グリップ保有部材の他端側端部と、脚フレームの他端側突出部との当接を解除した後、第１グリップ保有部材を、該第１グリップ保有部材の一端側開口部が脚フレームの一端側挿入部から抜き取られる方向に引っ張って、第１グリップ保有部材の一端側開口部を脚フレームの一端側挿入部から抜き取る。これにより、交換が必要な第１グリップを脚フレームから分離することができる。
【００１０】
次に、劣化や損傷がない新しい第１グリップを取り付ける場合、第１グリップを有する第１グリップ保有部材の一端側開口部を、脚フレームにおける上端部の一端側挿入部に挿入した後、グリップ保有部材を、該第１グリップ保有部材の一端側開口部に挿入された脚フレームの一端側挿入部を軸中心として回動操作する。
【００１１】
上述の回動操作により、第１グリップ保有部材の他端側端部を、脚フレームの他端側突出部に対して当接した後、規制リングを、他端側端部外周と他端側突出部外周とに跨る規制位置に移動させ、第１グリップ保有部材の他端側端部と、脚フレームの他端側突出部とを略同軸中心に当接した状態に位置規制する。これにより、新しい第１グリップを脚フレームに取り付けることができる。
【００１２】
この結果、使用によって第１グリップが劣化や損傷するなどして体を支えにくくなったり、汚れたり破れたりした場合、あるいは、好みの色に変更する場合、使用者が代わる場合など、適宜の必要なときに、第１グリップを簡単に交換することができる。
【００１３】
この考案の態様として、前記脚フレームが、前記脚フレームにおける前記第１ハンドルよりも下方に、該第１ハンドルよりも後方に突出して取り付けられる第２グリップを有する第２ハンドルを備え、前記第２ハンドルが、前記脚フレームにおける前記第１ハンドルよりも下位の部分に対して着脱可能に取り付けられる前記第２グリップを有する第２グリップ保有部材を備え、前記脚フレームにおける前記第１ハンドルよりも下方の前記第２グリップ保有部材の両端が取り付けられる下位の部分に、前記第２グリップ保有部材の一端側に形成した一端側開口部に対して挿入される一端側挿入部と、該第２グリップ保有部材の他端側に形成した他端側端部に対して当接される他端側突出部とを設け、前記他端側端部、及び前記他端側突出部における一方の外周に、該他端側端部と他端側突出部とを略同軸中心に当接した状態に位置規制するための規制リングを取り付けるとともに、該規制リングを、前記他端側端部と前記他端側突出部とを略同軸中心に当接した状態において、該他端側端部外周と他端側突出部外周とに跨る規制位置と、該他端側端部と他端側突出部とのいずれか一方の外周の規制解除位置とに移動可能に設けることができる。
【００１４】
この考案によれば、第１ハンドルよりも下方に取り付けられた第２ハンドルの第２グリップを簡単に交換することができる。  
詳述すると、使用者が着座姿勢、及び起立姿勢に移行する際に体を支えるための補助部分として、脚フレームにおける第１ハンドルよりも下方に取り付けられた第２ハンドルの第２グリップが、例えば、劣化や損傷するなどして交換が必要になった場合、規制リングを、他端側端部と他端側突出部とのいずれか一方の外周の規制解除位置へ移動させて位置規制を解除した後、第２グリップ保有部材を、該第２グリップ保有部材の一端側開口部に挿入された脚フレームの一端側挿入部を軸中心として回動操作する。
【００１５】
上述の回動操作により、第２グリップ保有部材の他端側端部と、脚フレームの他端側突出部との当接を解除した後、第２グリップ保有部材を、該第２グリップ保有部材の一端側開口部が脚フレームの一端側挿入部から抜き取られる方向に引っ張って、第２グリップ保有部材の一端側開口部を脚フレームの一端側挿入部から抜き取る。これにより、交換が必要な第２グリップを脚フレームから分離することができる。
【００１６】
次に、劣化や損傷がない新しい第２グリップを取り付ける場合、第２グリップを有する第２グリップ保有部材の一端側開口部を、脚フレームにおける第１ハンドルよりも下位の部分に一端側挿入部に挿入した後、グリップ保有部材を、該第２グリップ保有部材の一端側開口部に挿入された脚フレームの一端側挿入部を軸中心として回動操作する。
【００１７】
上述の回動操作により、第２グリップ保有部材の他端側端部を、脚フレームの他端側突出部に対して当接した後、規制リングを、他端側端部外周と他端側突出部外周とに跨る規制位置に移動させ、第２グリップ保有部材の他端側端部と、脚フレームの他端側突出部とを略同軸中心に当接した状態に位置規制する。これにより、新しい第２グリップを脚フレームにおける第１ハンドルよりも下位の部分に取り付けることができる。
【００１８】
この結果、上述の第１グリップと同様に、第２グリップが劣化や損傷するなどして交換が必要になった場合、第２グリップを簡単に交換することができる。  
さらに、第２ハンドルが第１ハンドルよりも後方に突出しているので、第２ハンドルの第２グリップが使用者の手で握りやすく、使用者が着座姿勢、及び起立姿勢に移行する際、第１ハンドルの第１グリップと第２ハンドルの第２グリップとに手を持ち替えて、使用者の体を安定して支えることができる。
【００１９】
また、この考案の態様として、前記他端側端部、及び前記他端側突出部のいずれか一方の外周と、該一方の外周と対向する前記規制リングの内周とに、互いに螺合される雄ねじ部と雌ねじ部とを設けることができる。
【００２０】
この考案によれば、グリップ保有部材の他端側端部を、他端側端部に対して略同軸中心に当接された状態に、より確実に固定することができる。  
詳しくは、グリップ保有部材の他端側端部を、脚フレームの他端側突出部に対して当接した後、規制リングを、他端側端部外周と他端側突出部外周とに跨る規制位置へ移動して、他端側端部、及び他端側突出部のいずれか一方の外周と、該規制リングの内周とに形成した雄ねじ部と雌ねじ部とを互いに螺合する。  
これにより、グリップ保有部材の他端側端部を、脚フレームにおける他端側突出部に対して略同軸中心に当接した状態に、より確実に固定することができる。
【００２１】
さらに、規制リングを、他端側端部、及び他端側突出部のいずれか一方の外周の規制解除位置に移動させて、雄ねじ部と雌ねじ部との螺合を解除するまでは、規制リングによる位置規制が解除されないので、他端側端部、及び他端側突出部を略同軸中心に当接された状態を維持することができる。
【００２２】
また、この考案の態様として、前記グリップ保有部材の他端側端部と、該他端側端部が当接される前記脚フレームの他端側突出部との当接部分に、該他端側端部と他端側突出部とを当接する際、互いに係合される凹部と凸部とを設けることができる。
【００２３】
この考案によれば、グリップ保有部材の他端側端部、及び脚フレームの他端側突出部を、互いに当接された状態により確実に固定することができる。  
詳しくは、グリップ保有部材の他端側端部を、脚フレームの他端側突出部に当接する際、他端側端部、及び他端側突出部に形成した凹部と凸部とを互いに係合して位置規制するとともに、上述の規制リングによって他端側端部、及び他端側突出部を略同軸中心に当接した状態に位置規制する。
【００２４】
すなわち、凹部と凸部との係合による位置規制と、上述の規制リングによる位置規制によって、グリップ保有部材の他端側端部と、脚フレームの他端側突出部とを略同軸中心に当接した状態に規制することができる。
【００２５】
この結果、グリップ保有部材の他端側端部と、脚フレームの他端側突出部との軸中心が変位することを、より確実に防止できる。さらに、他端側端部と他端側突出部との間にガタツキや変位が生じにくく、使用者の体を支えるのに必要な取り付け強度を確保することができる。
【００２６】
また、この考案の態様として、前記凹部と凸部とを、前記左右一対の脚フレーム間に設定した内側空間部と対応する前記他端側端部、及び前記他端側突出部の外周部分に設けることができる。
【００２７】
この考案によれば、グリップの交換作業を、歩行補助器の横幅内にて行うことができる。  
詳しくは、劣化や損傷したグリップを交換する場合、規制リングによる位置規制を解除した後、グリップ保有部材を、脚フレームの一端側挿入部を軸中心として内回りに上方へ回動操作し、他端側端部の凸部を他端側突出部の凹部から離脱させて係合を解除する。この後、グリップ保有部材を、脚フレームの一端側挿入部から抜き取って、劣化や損傷したグリップを脚フレームから分離する。
【００２８】
次に、新しいグリップを取り付ける場合、グリップを有するグリップ保有部材の一端側開口部を、脚フレームの一端側挿入部に挿入した後、グリップ保有部材を、脚フレームの一端側挿入部を軸中心として内回りに下方へ回動操作する。
【００２９】
上述の回動操作により、走行形態の歩行補助器における内側空間部と対応する側から、他端側端部の凸部を他端側突出部の凹部に係合した後、規制リングにより位置規制することにより、新しいグリップを脚フレームに取り付けることができる。
【００３０】
つまり、グリップ保有部材を、一端側挿入部を軸中心として内回りに回動操作して、他端側端部、及び他端側突出部の外周部分に形成した凹部と凸部とを互いに係合するか、その係合を解除するので、歩行形態の歩行補助器の側部に、例えば、壁や柱、あるいは人等の障害物が存在しても、その障害物に接触、あるいは当接することがなく、グリップ保有部材を内回りに回動操作することができる。  
この結果、グリップを交換する作業が、上述のような障害物によって妨げられることがなく、グリップを交換する作業が何等支障なく行える。
【００３１】
また、この考案の態様として、前記第１グリップ、及び前記第２グリップのうち少なくとも一方のグリップを、前記第１グリップ保有部材、及び前記第２グリップ保有部材のうち少なくとも一方の一端側外周に対して該一端側外周を覆うように固定するとともに、前記グリップ保有部材の一端側開口部が前記グリップの一端側内周よりも中央部内周寄りに位置するように設けることができる。
【００３２】
この考案によれば、グリップ保有部材の一端側開口部をグリップにて被覆、及び保護することができる。  
詳しくは、グリップ保有部材の一端側開口部を、該グリップ保有部材の一端側外周を覆うように固定したグリップの一端側内周よりも内側に位置させて、グリップ保有部材の一端側開口部を、グリップの一端側内周よりも外部に突出、あるいは露出しないように覆い隠している。
【００３３】
この結果、グリップ保有部材における一端側開口部の端面を、例えば、角面や丸面等の形状に面取り加工する必要がなく、面取り加工に要する費用や工程を削減して、歩行補助器の全体を安価に製作することができる。
【００３４】
さらに、グリップを交換する際、グリップ保有部材の一端側が、脚フレームに接触あるいは当接することがあっても、そのグリップ保有部材の一端側をグリップにて被覆、及び保護しているため、脚フレームを傷付ける心配がなく、また、グリップ保有部材の一端側が損傷することも防止できる。
【考案の効果】
【００３５】
この考案によれば、ハンドルのグリップが劣化や損傷した場合、あるいは、その他の交換が必要な場合、該グリップを簡単に交換することができる歩行補助器を提供することができる。
【図面の簡単な説明】
【００３６】
【図１】歩行形態の歩行補助器を前側斜め上方から見た斜視図。
【図２】図１に示す歩行補助器を前側から見た正面図。
【図３】図２に示す歩行補助器を後側から見た背面図。
【図４】図２に示す歩行補助器を右側から見た右側面図。
【図５】図２に示す歩行補助器を左側から見た左側面図。
【図６】図２に示す歩行補助器を上側から見た平面図。
【図７】図２に示す歩行補助器を下側から見た底面図。
【図８】折畳み形態の歩行補助器を後側から見た背面図。
【図９】連結フレームにおける第１連結杆、及び第２連結杆の説明図。
【図１０】第１グリップ、第２グリップの取り付け構造についての説明図。
【図１１】グリップ保有部材の他端を脚フレームに固定する際の説明図。
【図１２】左右一対の第１グリップを内回りに上下回動する際の説明図。
【考案を実施するための形態】
【００３７】
この考案の一実施形態を以下図面に基づいて詳述する。  
図１は歩行形態の歩行補助器１０を前側斜め上方から見た斜視図、図２は図１に示す歩行補助器１０を前側から見た正面図、図３は図２に示す歩行補助器１０を後側から見た背面図、図４は図２に示す歩行補助器１０を右側から見た右側面図、図５は図２に示す歩行補助器１０を左側から見た左側面図、図６は図２に示す歩行補助器１０を上側から見た平面図、図７は図２に示す歩行補助器１０を下側から見た底面図、図８は折畳み形態の歩行補助器１０を後側から見た背面図である。
【００３８】
本実施形態の歩行補助器１０は、側面から見て略Ａ字状に組み付けられた左右一対の脚フレーム２１，２１と、脚フレーム２１，２１を前部において左右に連結する連結フレーム３１とを備えている。  
図示例の歩行補助器１０は、脚フレーム２１，２１が略ハ字形に開脚した歩行形態（図１参照）と、脚フレーム２１，２１が連結フレーム３１の背面側に対して互い違いに重ね合わされた折畳み形態（図８参照）とに変形自在に構成している。  
なお、走行形態の歩行補助器１０における脚フレーム２１，２１間には、使用者の出入りが許容される内側空間部Ｓを設定している（図２、図３、図６、図７参照）。
【００３９】
脚フレーム２１，２１は、上述の歩行形態（図１参照）と折畳み形態（図８参照）とに変形できるように、連結フレーム３１の両端に対して幅方向Ｂに回動可能に連結している。さらに、脚フレーム２１，２１は、上下方向Ａに対して高さ調節可能に設けるとともに、幅方向Ｂに対して拡縮調節可能に設けている（図２、図３の二点鎖線参照）。
【００４０】
上述の脚フレーム２１，２１は、走行形態の歩行補助器１０を正面から見て左右対称に配置しているので、一方の脚フレーム２１の取り付け構造について説明する。  
脚フレーム２１は、歩行時において使用者が手で握る部分として、脚フレーム２１の上端部に取り付けられた逆Ｕ字状の第１ハンドル２４と、使用者が着座姿勢、及び起立姿勢に移行する際に体を支えるための補助部分として、脚フレーム２１における第１ハンドル２４よりも下位の部分に取り付けられた逆Ｕ字状の第２ハンドル２５とを交換可能に構成している。
【００４１】
第１ハンドル２４は、歩行補助器１０の前後方向Ｃと平行して脚フレーム２１の上端部に取り付けている。また、第２ハンドル２５は、第１ハンドル２４と平行して脚フレーム２１における第１ハンドル２４よりも下位の部分に取り付けるとともに、該第１ハンドル２４よりも後方に向けて所定長さ突出している。
【００４２】
すなわち、第１ハンドル２４、及び第２ハンドル２５を、走行形態の歩行補助器１０を側面から見て、第１ハンドル２４が上位、該第１ハンドル２４よりも第２ハンドル２５が下位となるように、前後方向Ｃに対して上下段違いとなるように配置している（図４、図５参照）。
【００４３】
さらに、脚フレーム２１は、脚部２２，２３の上端側を、前側上方から後側下方に向けて斜めに配置した連結杆２７で連結している。脚部２２の中間部と連結杆２７の下端部とを、前後方向Ｃと平行する連結杆２８とで連結している。  
これにより、２本の脚部２２，２３を、上方から下方に向けて徐々に間隔が広くなるように略ハ字形に開脚した状態に支持して、脚フレーム２１における脚フレーム本体２１ａを側面から見て略Ａ字状に組み付けている。
【００４４】
脚部２２，２３の下端部には、合成ゴム製の脚キャップ２６ａを備えた補助脚部２６が上下方向Ａに対してスライド可能に挿嵌されており、上下方向Ａに対して複数段階に高さ調節可能に設けている。
【００４５】
次に、上述の第１ハンドル２４、第２ハンドル２５、及び連結フレーム３１の取り付け構造について説明する。  
図９は連結フレーム３１における第１連結杆３２、及び第２連結杆３３の説明図であり、詳しくは、図９（ａ）は第１連結杆３２の中央部破断平面図、図９（ｂ）は第２連結杆３３の中央部拡大正面図である。
【００４６】
図１０は第１グリップ４１、及び第２グリップ５１の取り付け構造についての説明図、図１１はグリップ保有部材４２，５２の他端を脚フレーム２１に固定する際の説明図、図１２は左右一対の第１グリップ４１，４１を内回りに上下回動する際の説明図である。
【００４７】
先ず、上述の連結フレーム３１の取り付け構造について説明する。  
連結フレーム３１は、脚フレーム２１，２１における脚部２２の長手方向中間部よりも上位側部分同士を連結する第１連結杆３２と、脚部２２の上端側を後方側に折り曲げてなる折曲げ側端部同士を連結する第２連結杆３３で構成している（図２、図３参照）。
【００４８】
第１連結杆３２は、幅方向Ｂに対して複数段階に拡縮調節可能に挿嵌した左右一対の第１連結杆担体３２ａ，３２ｂで構成している（図２、図３、図９（ａ）参照）。  
上下に配置した第１連結杆担体３２ａ，３２ｂは、脚フレーム２１における脚部２２の長手方向中間部よりも上位側部分に外嵌するパイプ状の支柱部３４と、支柱部３４の外周から走行形態の歩行補助器１０における内側空間部Ｓに向けて延設したアーム部３５とを有し、第１連結杆担体３２ａ，３２ｂのアーム部３５は相互に嵌め合い可能な太さに形成している。  
なお、上下に配置した第１連結杆担体３２ａ，３２ａ、及び３２ｂ，３２ｂは、連結杆３２ｃ，３２ｃでそれぞれ連結している。
【００４９】
第１連結杆担体３２ａにおけるアーム部３５の内部には、先端部が略半球形状の突起３６を径外方向に向けて出没自在に収容している。突起３６は、アーム部３５に収納したＵ字状の板ばね３６ａによって突出方向に常時付勢している。  
第１連結杆担体３２ｂにおけるアーム部３５には、突起３６の係合が許容される複数の孔部３７を該アーム部３５の周面に沿って長手方向に所定間隔を隔てて配置している（図９（ａ）参照）。
【００５０】
第２連結杆３３は、第１連結杆３２と対応して、幅方向Ｂに対して複数段階に拡縮調節可能に挿嵌した左右一対の第２連結杆担体３３ａ，３３ｂで構成している（図４、図５、図９（ｂ）参照）。  
第２連結杆担体３３ａ，３３ｂは、脚部２２における折曲げ側端部下面に取り付けられた水平回動可能な支持部材３８と、支持部材３８の下端に対して水平に取り付けられた水平軸部３９と、水平軸部３９の遊端に対して直交して固定されたアーム部４０とを有し、第２連結杆担体３３ａ，３３ｂのアーム部４０は相互に嵌め合い可能な太さに形成している。
【００５１】
第２連結杆担体３３ｂの端部には、レバー３３ｄを有する拡縮調節部３３ｃを取り付けている（図９（ｂ）参照）。  
拡縮調節部３３ｃは、レバー３３ｄを引下げ操作（図９（ｂ）実線参照）すると、該レバー３３ｄに連結したピン３３ｅが第２連結杆担体３３ａの長手方向周面に形成した孔部３３ｆから抜き取られ、第２連結杆担体３３ａ，３３ｂが拡縮調節可能に固定解除される。
【００５２】
レバー３３ｄを水平操作（図９（ｂ）二点鎖線参照）すると、ピン３３ｅが第２連結杆担体３３ａに形成した所望する位置の孔部３３ｆに係合され、第２連結杆担体３３ａ，３３ｂが拡縮調節不可に固定される構造である。
【００５３】
すなわち、レバー３３ｄを水平操作、及び引下げ操作して、第２連結杆担体３３ａ，３３ｂを幅方向Ｂに対して所望する長さに拡縮調節するとともに、脚フレーム２１，２１間の間隔を使用者の体格に応じて最適な間隔に拡縮調節する。  
これにより、走行形態の歩行補助器１０における内側空間部Ｓを、使用者の体格に応じて幅広、幅狭となるように可変調節することができる（図２、図３参照）。
【００５４】
歩行補助器１０を折畳み形態に変形する場合（図８参照）、拡縮調節部３３ｃによる固定を解除して、連結フレーム３１の第１連結杆３２、及び第２連結杆３３を、脚フレーム２１，２１が連結フレーム３１の背面側に対して互い違いとなるように重ね合せた状態に折畳みが許容される長さに拡縮調節する。  
なお、拡縮調節部３３ｃは、レバー３３ｄを水平操作した角度に回動固定するためのロック部３３ｇを備えている。
【００５５】
次に、上述の第１ハンドル２４、及び第２ハンドル２５の取り付け構造について説明する。  
第１ハンドル２４は、第１グリップ４１を有する第１グリップ保有部材４２で構成している。第１グリップ保有部材４２の両端は、脚フレーム２１における脚部２２の上端部、及び連結杆２７の中間部に対して着脱可能に取り付けている。
【００５６】
第２ハンドル２５は、第２グリップ５１を有する第２グリップ保有部材５２で構成している。第２グリップ保有部材５２の両端は、脚フレーム２１における脚部２３の上端部、及び連結杆２７の中間部に対して着脱可能に取り付けている（図１０参照）。
【００５７】
グリップ保有部材４２，５２の一端には、脚フレーム２１における端部２１ｂ，２１ｄに形成した一端側挿入部６１，６１の挿入が許容される一端側開口部４２ａ，５２ａをそれぞれ形成している。  
さらに、グリップ保有部材４２，５２における一端側開口部４２ａ，５２ａを形成した一端側外周には、筒状の第１グリップ４１、及び第２グリップ５１をそれぞれ一体に固定している。
【００５８】
第１グリップ４１、及び第２グリップ５１は、上述の一端側挿入部６１が挿入されるグリップ保有部材４２，５２の一端側外周に対して該一端側外周を覆うように固定するとともに、グリップ保有部材４２，５２の一端側開口部４２ａ，５２ａを、第１グリップ４１、及び第２グリップ５１の一端側内周よりも中央部内周寄りに位置させている（図１０参照）。
【００５９】
第１グリップ４１、及び第２グリップ５１には、ＰＶＡ（ポリビニルアルコール）製やウレタン製の発泡樹脂や合成ゴムなどの適宜の材料からなるものを使用でき、歩行補助器１０にふさわしいものを、機能性を重視して選定する。
【００６０】
脚フレーム２１における第１グリップ保有部材４２を取り付ける端部２１ｂには、第１グリップ保有部材４２の一端を挿入固定するための一端側挿入部６１が前後方向Ｃと平行して後方に向けて突出している。一端側挿入部６１は、第１グリップ保有部材４２の一端に形成した一端側開口部４２ａに対して挿入が許容される外径に形成している（図１０参照）。
【００６１】
連結杆２７の長手方向中間部よりも上位側外周に突設した端部２１ｃには、第１グリップ保有部材４２の他端外周に取り付けられた締付けリング７０を螺合するための雄ネジ部６２が後側斜め上方に向けて突出している。雄ねじ部６２は、締付けリング７０の螺合側内周に螺刻した雌ねじ部７２の螺合が許容されるねじ径に形成している。
【００６２】
さらに、雄ねじ部６２の端面には、該雄ねじ部６２の一部外周を径方向に切欠いてなる凹部８１を形成している。雄ねじ部６２の端面に当接される第１グリップ保有部材４２の他端側端部４２ｂには、雄ねじ部６２の凹部８１に対して係合が許容される凸部８２を軸方向に突出している。
【００６３】
凹部８１、及び凸部８２は、走行形態の歩行補助器１０における内側空間部Ｓ側から右側の脚フレーム２１を見た際、その内側空間部Ｓと対応する雄ねじ部６２の内側外周部分と、他端側端部４２ｂの内側外周部分とにそれぞれ形成している（図１１（ａ）（ｂ）参照）。
【００６４】
脚フレーム２１における連結杆２７の長手方向中間部よりも下位側外周に形成した端部２１ｄには、第２グリップ保有部材５２の一端を挿入固定するための一端側挿入部６１が前後方向Ｃと平行して後方に向けて突出している。一端側挿入部６１は、第２グリップ保有部材５２の一端に形成した一端側開口部５２ａに対して挿入が許容される外径に形成している（図１０参照）。
【００６５】
連結杆２７の下端部に形成した端部２１ｅには、第２グリップ保有部材５２の他端外周に取り付けられた締付けリング７０を螺合するための雄ネジ部６２が後側斜め上方に向けて突出している。雄ねじ部６２は、締付けリング７０の螺合側内周に螺刻した雌ねじ部７２の螺合が許容されるねじ径に形成している。
【００６６】
さらに、雄ねじ部６２の端面と、該雄ねじ部６２の端面に当接される第２グリップ保有部材５２の他端側端部５２ｂには、上述の凹部８１、及び凸部８２をそれぞれ形成している。  
凹部８１、及び凸部８２は、走行形態の歩行補助器１０における内側空間部Ｓ側から右側の脚フレーム２１を見た際、その内側空間部Ｓと対応する雄ねじ部６２の内側外周部分と、他端側端部４２ｂの内側外周部分とにそれぞれ形成している（図１１（ａ）（ｂ）参照）。
【００６７】
次に、上述の第１グリップ４１、及び第２グリップ５１を脚フレーム２１に取り付ける際の取付け手順について説明する。  
先ず、第１ハンドル２４の第１グリップ４１を脚フレーム２１の上端部に取り付ける場合、第１グリップ保有部材４２の一端側開口部４２ａを、脚フレーム２１における端部２１ｂの一端側挿入部６１に対して所定位置まで挿入した後、第１グリップ保有部材４２を、第１グリップ保有部材４２の一端側開口部４２ａに挿入された脚フレーム２１の一端側挿入部６１を軸中心として内回りに下方へ回動操作する（図１０、図１２参照）。
【００６８】
上述の回動操作により、走行形態の歩行補助器１０における内側空間部Ｓ側から、第１グリップ保有部材４２における他端側端部４２ｂの凸部８２を、脚フレーム２１における端部２１ｃの雄ねじ部６２の凹部８１に対して係合する（図１１（ｂ）参照）。
【００６９】
上述のように凹部８１と凸部８２とを係合して、第１グリップ保有部材４２の他端側端部４２ｂを、脚フレーム２１における端部２１ｃの雄ねじ部６２に対して略同軸中心に当接した後、締付けリング７０を、第１グリップ保有部材４２の他端側端部４２ｂに沿って雄ネジ部６２外周が覆われる位置へ移動しつつ、締付けリング７０の雌ねじ部７２を端部２１ｃの雄ネジ部６２に螺合して締付け固定する（図１１（ａ）参照）。
【００７０】
さらに、締付けリング７０を、第１グリップ保有部材４２の他端側端部４２ｂ外周と、脚フレーム２１の端部２１ｃの雄ネジ部６２外周とに跨る規制位置に移動させて、他端側端部４２ｂと雄ネジ部６２とを略同軸中心に当接した状態に位置規制する。  
これにより、第１グリップ４１を有する第１グリップ保有部材４２の両端を、脚フレーム２１の端部２１ｂ，２１ｃに対してそれぞれ固定することができ、第１ハンドル２４の第１グリップ４１を脚フレーム２１の上端部に取り付けることができる。
【００７１】
次に、第２ハンドル２５の第２グリップ５１を、脚フレーム２１における第１ハンドル２４よりも下位の部分に取り付ける場合、上述の第１グリップ保有部材４２と同様に、第２グリップ保有部材５２の一端側開口部５２ａを、脚フレーム２１における端部２１ｄの一端側挿入部６１に対して所定位置まで挿入した後、第２グリップ保有部材５２を、一端側挿入部６１を軸中心として内回りに下方へ回動操作する（図１０、図１２参照）。
【００７２】
上述の回動操作により、走行形態の歩行補助器１０における内側空間部Ｓ側から、第２グリップ保有部材５２における他端側端部５２ｂの凸部８２を、脚フレーム２１における端部２１ｅの雄ねじ部６２の凹部８１に対して係合する（図１１（ｂ）参照）。
【００７３】
上述のように凹部８１と凸部８２とを係合して、第２グリップ保有部材５２の他端側端部５２ｂを、脚フレーム２１における端部２１ｅの雄ねじ部６２に対して略同軸中心に当接した後、締付けリング７０を、第２グリップ保有部材５２の他端側端部５２ｂに沿って雄ネジ部６２外周が覆われる位置へ移動しつつ、締付けリング７０の雌ねじ部７２を端部２１ｅの雄ネジ部６２に螺合して締付け固定する（図１１（ａ）参照）。
【００７４】
さらに、締付けリング７０を、第２グリップ保有部材５２の他端側端部５２ｂ外周と、脚フレーム２１の端部２１ｅの雄ネジ部６２外周とに跨る規制位置に移動させて、他端側端部５２ｂと雄ネジ部６２とを略同軸中心に当接した状態に位置規制する。  
これにより、第２グリップ５１を有する第２グリップ保有部材５２の両端を、脚フレーム２１の端部２１ｄ，２１ｅに対してそれぞれ固定することができ、第２ハンドル２５の第２グリップ５１を、脚フレーム２１における第１ハンドル２４よりも下位の部分に取り付けることができる。
【００７５】
次に、上述の第１グリップ４１、及び第２グリップ５１が、例えば、劣化や損傷するなどして交換が必要になった場合、締付けリング７０を締付け解除方向へ回動操作しつつ、該締付けリング７０を端部２１ｃ，２１ｅの雄ネジ部６２に対する螺合が解除される規制解除位置（図１１（ａ）二点鎖線参照）へ移動させる。
【００７６】
締付けリング７０を、端部２１ｃ，２１ｅの雄ネジ部６２全体が露出される位置規制が解除される規制解除位置まで移動すると、締付けリング７０による端部２１ｃ，４２ｂ、及び２１ｅ，５２ｂの固定が解除され、グリップ保有部材４２，５２の他端側端部４２ｂ，５２ｂを内側空間部Ｓ側へ回動することが可能となる。
【００７７】
この後、グリップ保有部材４２，５２を、一端側挿入部６１を軸中心として内回りに上方へ回動操作（図１２参照）して、他端側端部４２ｂ，５２ｂの凸部８２を、端部２１ｃ，２１ｅにおける雄ネジ部６２の凹部８１からそれぞれ離脱させる（図１１（ｂ）参照）。
【００７８】
グリップ保有部材４２，５２を、該グリップ保有部材４２，５２の一端側開口部４２ａ，５２ａが脚フレーム２１の一端側端部２１ｄ，２１ｃの一端側挿入部６１から抜き取られる方向に引っ張って、グリップ保有部材４２，５２の一端側開口部４２ａ，５２ａを、脚フレーム２１の端部２１ｂ，２１ｄの一端側挿入部６１からそれぞれ抜き取る。これにより、交換が必要な第１グリップ４１、及び第２グリップ５１を脚フレーム２１から分離することができる。
【００７９】
つまり、交換が必要な第１グリップ４１、及び第２グリップ５１のいずれか一方、あるいは両方を脚フレーム２１から分離した後、劣化や損傷がない新しい第１グリップ４１、及び第２グリップ５１を、上述の取付け手順に従って脚フレーム２１に取り付ける。
【００８０】
これにより、使用によって第１グリップ４１、及び第２グリップ５１が劣化や損傷して体を支えにくくなったり、汚れたり破れたりした場合、あるいは、好みの色に変更する場合、使用者が代わる場合など、適宜の必要なときに、第１グリップ４１、及び第２グリップ５１のいずれか一方、あるいは両方を簡単に交換することができる。
【００８１】
また、グリップ保有部材４２，５２における他端側端部４２ｂ，５２ｂの凸部８２を、端部２１ｃ，２１ｅにおける雄ネジ部６２の凹部８１にそれぞれ係合した際、締付けリング７０を、グリップ保有部材４２，５２の他端側端部４２ｂ，５２ｂ外周と、端部２１ｃ，２１ｅの雄ネジ部６２外周とに跨る規制位置（図１１（ａ）実線参照）へ移動して、端部２１ｃ，４２ｂ、及び２１ｅ，５２ｂが略同軸中心となるようにそれぞれ規制する。
【００８２】
つまり、端部２１ｃ，４２ｂ、及び２１ｅ，５２ｂを、締付けリング７０によって略同軸中心となる状態にそれぞれ規制するため、端部２１ｃ，４２ｂ、及び２１ｅ，５２ｂが径方向に変位しにくく、グリップ保有部材４２，５２の他端側端部４２ｂ，５２ｂが内側空間部Ｓ側へ回動したり、凸部８２が凹部８１から離脱することを確実に防止できる。
【００８３】
さらに、締付けリング７０を締付け解除方向へ回動操作して、該締付けリング７０を端部２１ｃ，２１ｅの雄ネジ部６２に対する螺合が解除される規制解除位置へ移動するまでは、締付けリング７０による位置規制が解除されず、凹部８１、及び凸部８２の係合も解除されないため、グリップ保有部材４２，５２の取り付け状態を長期に亘り安定して維持することができる。
【００８４】
さらにまた、凹部８１、及び凸部８２の係合による位置規制と、締付けリング７０による位置規制によって、グリップ保有部材４２，５２の他端側端部４２ｂ，５２ｂと、脚フレーム２１における端部２１ｃ，２１ｅの雄ネジ部６２とを略同軸中心に当接した状態に規制することができる。
【００８５】
この結果、グリップ保有部材４２，５２の他端側端部４２ｂ，５２ｂと、脚フレーム２１における端部２１ｃ，２１ｅの雄ネジ部６２との軸中心が変位することを、より確実に防止できる。さらに、他端側端部４２ｂ，５２ｂと、端部２１ｃ，２１ｅの雄ネジ部６２との間にガタツキや変位が生じにくく、使用者の体を支えるのに必要な取り付け強度を確保することができる。
【００８６】
さらにまた、グリップ保有部材４２，５２を、脚フレーム２１の一端側挿入部６１を軸中心として内回りに回動操作し、走行形態の歩行補助器１０における内側空間部Ｓ側から、端部２１ｃ，２１ｅにおける雄ネジ部６２の凹部８１と、他端側端部４２ｂ，５２ｂの凸部８２とを互いに係合するか、その係合を解除するので、歩行補助器１０の側部に、例えば、壁や柱、あるいは人等の障害物が存在しても、その障害物に接触、あるいは当接することがなく、グリップ保有部材４２，５２を内回りに回動操作することができる。  
この結果、第１グリップ４１、及び第２グリップ５１を交換する作業が、上述のような障害物によって妨げられることがなく、第１グリップ４１、及び第２グリップ５１を交換する作業が何等支障なく行える。
【００８７】
さらにまた、グリップ保有部材４２，５２の一端側開口部４２ａ，５２ａを、第１グリップ４１、及び第２グリップ５１の一端側内周よりも内側に位置させて、グリップ保有部材４２，５２の一端側開口部４２ａ，５２ａを、第１グリップ４１、及び第２グリップ５１の一端側内周よりも外部に突出、あるいは露出しないように覆い隠している（図１０参照）。
【００８８】
この結果、グリップ保有部材４２，５２における一端側開口部４２ａ，５２ａの端面を、例えば、角面や丸面等の形状に面取り加工する必要がなく、面取り加工に要する費用や工程を削減して、歩行補助器１０の全体を安価に製作することができる。
【００８９】
さらに、第１グリップ４１、及び第２グリップ５１を交換する際、グリップ保有部材４２，５２の一端側が、脚フレーム２１に接触あるいは当接することがあっても、そのグリップ保有部材４２，５２の一端側を第１グリップ４１、及び第２グリップ５１にて被覆、及び保護しているため、脚フレーム２１を傷付ける心配がなく、また、グリップ保有部材４２，５２の一端側が損傷することも防止できる。
【００９０】
上述の歩行補助器１０を使用する場合、左右一対の脚フレーム２１，２１が体の両側に位置するように、左右の第１グリップ４１を手で握って体を支える。このとき、使用者の体格に合わせて、脚フレーム２１，２１の高さを上下調節するとともに、脚フレーム２１，２１間の間隔を拡縮調節する。
【００９１】
脚フレーム２１間の間隔は、拡縮調節部３３ｃのレバー３３ｄを引下げ操作して、第２連結杆３３の第２連結杆担体３３ａ，３３ｂを拡縮調節可能な状態にしてから、第１連結杆３２の第２連結杆担体３３ａ，３３ｂを突部３６、及び孔部３７の係合により所望する長さに拡縮調節する。
【００９２】
第１連結杆３２の長さ調節を行うと、第２連結杆３３の長さも自動的に拡縮されるので、脚フレーム２１，２１間の間隔を使用者の体格に合わせて拡縮調節した後、拡縮調節部３３ｃのレバー３３ｄを水平操作して、脚フレーム２１，２１間の間隔を拡縮不可に固定する。
【００９３】
上述のようにして歩行補助器１０の高さ、及び幅を使用者に合わせた後、上位側の第１ハンドル２４における第１グリップ４１を手で握って体を支えながら、使用者の足の運びにしたがって、歩行補助器１０を持ち上げては下ろしつつ、進行方向に移動させる。
【００９４】
また、歩行補助器１０を支えにして、使用者が着座姿勢、及び起立姿勢に移行する際、上位側の第１ハンドル２４における第１グリップ４１と、下位側の第２ハンドル２５における第２グリップ５１とに手を持ち替えて、使用者の体を一時的に支える。
【００９５】
すなわち、第２ハンドル２５が第１ハンドル２４よりも後方に突出しているので、第２ハンドル２４の第２グリップ５１が使用者の手で握りやすく、着座姿勢、及び起立姿勢に移行する際に体を安定して支えることができる。  
着座姿勢から起立姿勢に移行する立ち上がり時において、第２グリップ５１から第１グリップ４１に手を持ち替えれば、第１グリップ４１が体の胸の付近に位置するため、腕力により脚力を補って、立ち上がることができる。
【００９６】
さらに、起立姿勢から着座姿勢に移行する着座時において、第１グリップ４１から第２グリップ５１に手を持ち替えれば、使用者の体が中腰状態になるため、腰高の位置からそのまま着座姿勢をとる必要がなく、使用者の体に対する負担を軽減することができる。
【００９７】
さらにまた、左右一対の脚フレーム２１，２１は、連結フレーム３１によって上方から下方に向けて徐々に間隔が広くなるように略ハ字形に連結しているので、脚フレーム２１，２１が外側に傾くことなく荷重を良好に支えられ、安定性を確保できる。
【００９８】
第１連結杆３２、及び第２連結杆３３によって、左右一対の脚フレーム２１，２１間の間隔を幅方向Ｂに拡縮調節できるので、使用者の体格にあったより使い易い歩行補助器１０に調節することができる。また、施設やレンタル業者にとっては、サイズの異なる複数種の歩行補助器１０を揃えなくてもよく、一台の歩行補助器１０を様々な体格を有する使用者に応じで都合がよい。
【００９９】
この考案の構成と、前記実施形態との対応において、  
この考案の他端側端部は、実施形態の端部２１ｃ，２１ｅに対応し、  
以下同様に、  
他端側突出部は、雄ネジ部６２に対応し、  
規制リングは、締付けリング７０に対応するも、  
この考案は、上述の実施形態の構成のみに限定されるものではなく、請求項に示される技術思想に基づいて応用することができ、多くの実施の形態を得ることができる。
【０１００】
例えば、凹部８１、及び凸部８２を、歩行補助器１０の外側両側部と対応する雄ねじ部６２の外側外周部分、及び他端側端部４２ｂ，４２ｂの外側外周部分にそれぞれ設けてもよい。  
つまり、グリップ保有部材４２，５２を、一端側挿入部６１を軸中心として外回りに回動操作して、走行形態の歩行補助器１０における外側から、第２グリップ保有部材４２，５２における他端側端部４２ｂ，５２ｂの凸部８２を、脚フレーム２１における端部２１ｃ，２１ｅの雄ねじ部６２の凹部８１に対して係合する。
【０１０１】
これにより、使用者が、走行形態の歩行補助器１０における脚フレーム２１，２１間の内側空間部Ｓに入り込んだ状態であって、グリップ保有部材４２，５２の回動操作が邪魔されることがなく、第１グリップ４１を有する第１グリップ保有部材４２と、第２グリップ５１を有する第２グリップ保有部材５２とを簡単に交換することができる。
【０１０２】
また、雄ねじ部６２、締付けナット７０、凹部８１、及び凸部８２を、脚フレーム２１の端部２１ｂ，２１ｄ、及びグリップ保有部材４２，５２の他端側端部４２ａ，５２ａに設け、一端側挿入部６１を、脚フレーム２１の端部２１ｃ，２１ｅに設けてもよい。
【０１０３】
さらに、雄ねじ部６２、及び凹部８１を、グリップ保有部材４２，５２の他端側端部４２ｂ，５２ｂに設け、締付けナット７０、及び凸部８２を、脚フレーム２１の端部２１ｃ，２１ｅに設けてもよい。
【０１０４】
さらにまた、脚フレーム２１における脚部２２，２３の下端部に、例えば、車輪やキャスター等の走行輪を取り付けて、歩行補助器１０を、使用者が望む方向へ走行移動可能に設けてもよい。
【０１０５】
上述の実施形態では、第１グリップ４１、及び第２グリップ５１の両方を備えた歩行補助器１０のグリップ交換構造について説明したが、本考案のグリップ交換構造は、例えば、第１グリップ４１のみを備えた歩行補助器１０にも適用することができる。
【符号の説明】
【０１０６】
Ａ…上下方向
Ｂ…幅方向
Ｃ…前後方向
Ｓ…内側空間部
１０…歩行補助器
２１…脚フレーム
２１ａ…脚フレーム本体
２１ｂ，２１ｃ，２１ｄ，２１ｅ…端部
２２，２３…脚部
２４…第１ハンドル
２５…第２ハンドル
２６…補助脚部
２７，２８…連結杆
３１…連結フレーム
３２…第１連結杆
３３…第２連結杆
３３ｃ…拡縮調節部
４１…第１グリップ
４２…第１グリップ保有部材
５１…第２グリップ
５２…第２グリップ保有部材
４２ａ，５２ａ…一端側開口部
４２ｂ，５２ｂ…他端側端部
６１…一端側挿入部
６２…雄ねじ部
７０…締付けリング
７２…雌ねじ部
８１…凹部
８２…凸部
【図１】
0003184475.tif 000003
【図２】
0003184475.tif 000004
【図３】
0003184475.tif 000005
【図４】
0003184475.tif 000006
【図５】
0003184475.tif 000007
【図６】
0003184475.tif 000008
【図７】
0003184475.tif 000009
【図８】
0003184475.tif 000010
【図９】
0003184475.tif 000011
【図１０】
0003184475.tif 000012
【図１１】
0003184475.tif 000013
【図１２】
0003184475.tif 000014